(57)【要約】【課題】コストを削減できると共に、固定金具を簡単な構成で、かつ確実にガラス体に固定することができる照明器具を提供する。【解決手段】光源１１と；光源を収納し開口部１２ａを有する器具本体１２と；開口部に配設され、少なくとも1個の貫通する取付孔１３ａを形成したガラス体１３と；ガラス体の取付孔1つに対応して貫通する固定孔２０ｃを形成し、回り止め手段２０ａ２を設けた少なくとも１つの固定金具１４と；固定金具をガラス体の端面に配置し、固定具２３、２４をガラス体の１個の取付孔および固定金具の固定孔に挿通させ回動操作により固定する固定手段１５と；を具備する照明器具１０を構成する。【選択図】        図４
2007323930.tif 000002
【特許請求の範囲】
【請求項１】
光源と；
光源を収納し開口部を有する器具本体と；
開口部に配設され、少なくとも1個の貫通する取付孔を形成したガラス体と；
ガラス体の取付孔1つに対応して貫通する固定孔を形成し、回り止め手段を設けた少なくとも１つの固定金具と；
固定金具をガラス体の端面に配置し、固定具をガラス体の１個の取付孔および固定金具の固定孔に挿通させ回動操作により固定する固定手段と；
を具備することを特徴とする照明器具。
【請求項２】
光源と；
光源を収納し開口部を有する器具本体と；
開口部に、開口部より大きく形成されて配設され、少なくとも1個の貫通する取付孔を周縁部に形成したガラス体と；
ガラス体の取付孔1つに対応して貫通する固定孔を形成し、その側面にガラス体縁部に係止する係止部からなる回り止め手段を設けた少なくとも１つの固定金具と；
固定金具をガラス体の端面に配置し、ボルトをガラス体の１個の取付孔および固定金具の固定孔に挿通させナットで固定する固定手段と；
を具備することを特徴とする照明器具。
【請求項３】
前記固定手段は、固定金具とガラス体との間に緩衝材を介して固定することを特徴とする請求項１または２に記載の照明器具。
【請求項４】
前記ガラス体は、内面に樹脂膜を接着したことを特徴とする請求項１ないし３いずれか一に記載の照明器具。
【請求項５】
請求項１ないし４いずれか一に記載の照明器具に、トンネル壁面に取り付けるための取付部を設けたことを特徴とするトンネル用照明器具。
【発明の詳細な説明】
【技術分野】
【０００１】
本発明は、トンネル、道路等に使用され透光部にガラス体を設けた照明器具およびトンネル用照明器具に関する。
【背景技術】
【０００２】
従来、例えばトンネル用の照明器具におけるガラス体の固定は、下記特許文献１に示されるように、透明なガラス体をカバー枠に接着剤を用いて固定し、カバー枠を蝶番やラッチによって器具本体に固定している。
【０００３】
また、近年、主としてコスト削減等から、図６（本願の従来例）に示すように、カバー部材をなくし、光源ランプＬを収納した器具本体５０の開口部５０ａに、開口部より大きく形成したガラス体５１を設け、ガラス体に直接、蝶番５２やラッチ５３を固定し器具本体に取り付けるようにしている。
【０００４】
また、この種の照明器具において、ガラスからなるグローブに金具からなる部品を固定するための手段として、例えば、下記の特許文献２に示されるように、ガラスに１個の貫通する孔を設けてネジにより固定することが行われている。
【特許文献１】特開平１０−１４４１１４号公報
【特許文献２】実開平６−２６１１４号公報
【発明の開示】
【発明が解決しようとする課題】
【０００５】
しかしながら、図６に示される従来の照明器具において、ガラス体５１への蝶番５２やラッチ５３からなる固定金具の固定は、ガラス体の外面の端面に固定金具を載置しボルト、ナットで上方からねじ込んで固定する。
【０００６】
このため固定金具がねじ込み時に回転してしまうことから、１個の固定金具につきガラス体に２個の取付孔５４、５４を形成し、一方を予め固定して回り止めを行って固定していた。
【０００７】
このため、ガラス体５１には各固定金具につき２個ずつの貫通した孔を形成しなければならい。
【０００８】
ガラスの穴あけ加工はコストが非常に高く、この種の照明器具においては、蝶番およびラッチをガラス体の上縁部、下縁部にそれぞれ対をなして２〜６個ずつ、孔の数は合計８〜２４個必要となる。特に器具が大型化すると蝶番およびラッチの数がさらに多く必要となり、トンネル用照明器具などにおけるコスト上昇の大きな要因となっている。
【０００９】
特許文献１のように、ガラス体に蝶番やラッチを固定せずに、カバー枠に取り付ける手段もあるが、アルミニウムやステンレス等の金属からなるカバー部材が必要となりコストが上昇する問題が生じてしまう。
【００１０】
また、特許文献２のように、ガラスに１個の貫通する孔を設けてネジにより固定することが考えられるが、特許文献２の構成は、ガラスの内面と器具本体との間に、挟持部材を挟み込んで固定するための構成であり、固定時に回り止めを必要とするガラス体外面の端面に固定金具を固定するための構成とは異なり採用できない。
【００１１】
上記のような状況から、ガラス加工のコストを極力削減できると共に、蝶番やラッチ等の固定金具を簡単な構成で、かつ確実にガラス体に固定することができる照明器具を如何に実現するかが重要な課題となっている。
【００１２】
本発明は、上述した従来の問題、課題に鑑みてなされたもので、コストを削減できると共に、固定金具を簡単な構成で、かつ確実にガラス体に固定することができる照明器具を提供しようとするものである。
【課題を解決するための手段】
【００１３】
請求項１に記載の照明器具の発明は、光源と；光源を収納し開口部を有する器具本体と；開口部に配設され、少なくとも1個の貫通する取付孔を形成したガラス体と；ガラス体の取付孔1つに対応して貫通する固定孔を形成し、回り止め手段を設けた少なくとも１つの固定金具と；固定金具をガラス体の端面に配置し、固定具をガラス体の１個の取付孔および固定金具の固定孔に挿通させ回動操作により固定する固定手段と；を具備することを特徴とする。
【００１４】
請求項１に記載の発明によれば、回り止め手段を設けた少なくとも１つの固定金具と；固定金具をガラス体の端面に配置し、固定具をガラス体の１個の取付孔および固定金具の固定孔に挿通させ回動操作により固定する固定手段により、ガラス体は、固定金具1個あたり1個の取付孔となし、穴あけ加工を極力少なくして、加工コストを削減することが可能となる。
【００１５】
さらに、固定金具は、固定孔および回り止め手段を設けた簡単な構成で、確実にガラス体に固定することが可能となる。
【００１６】
本発明および以下の各発明において、特に指定しない限り、用語の定義および技術的な意義は次による。
【００１７】
光源は、所望により、既知の各種光源ランプから任意に選択して用いることができる。例えば、放電ランプおよび白熱電球などを用いることができる。
【００１８】
放電ランプとしては、低圧放電ランプおよび高圧放電ランプなどを用いることができる。低圧放電ランプとしては、蛍光ランプおよび低圧ナトリウムランプなどを用いることができる。高圧放電ランプとしては、高圧ナトリウムランプ、メタルハライドランプ、セラミックメタルハライドランプ、無電極放電ランプおよび水銀ランプなどを用いることができる。
【００１９】
白熱電球としては、一般照明用電球、ハロゲン電球およびクリプトン電球などを用いることができ、さらに発光ダイオード（ＬＥＤ）などの光源も許容される。
【００２０】
光源は、器具本体およびガラス体のいずれの側に装着してもよい。さらに、光源は複数本搭載することも許容される。
【００２１】
光源は、器具本体内に収納され、要すれば光源の光を効果的に反射する反射体を器具本体内に備えることも許容する。
【００２２】
器具本体は、開口部を有するカバー部材と光源を収納する本体から構成しても、カバー部材を持たない単体構成の、開口部を有する器具本体で構成されていてもよく、例えば、鋼板を溶接等することにより製作され、表面に塗装が施された扁平箱状に形成されていても、ステンレス鋼板やアルミニウム板をプレス加工したもの、さらにはアルミダイカストで構成したものでもよい。
【００２３】
ガラス体は、透明または半透明等の透光性を有する強化ガラス、耐熱性ガラス等で構成され、ガラス外面および内面のいずれか一方または両方に、光制御用の手段、例えば、プリズム、レンズまたは光拡散用の多数の凸部または凹部などを形成してもよい。またガラスの外表面に光触媒機能を有する酸化チタンなどの薄膜や反射防止膜などを塗布することもできる。
【００２４】
さらに、ガラス体の内面または外面のいずれか一方、または両方に樹脂膜等を接着し、万一ガラスが破損した場合におけるガラス飛散防止の機能をもたせることもできる。
【００２５】
ガラス体は、器具本体の開口部に配設されるもので、器具本体がカバー部材と本体から構成される場合にはカバー部材の開口部に配設され、単体の器具本体で構成される場合には、器具本体の開口部より大きく形成されて配設されていてもよい。
【００２６】
また、その形状はどのような形状をなしていてもよく、例えば、器具本体の開口部を閉塞する矩形、円形、楕円形等をなす平板状であってもよいし、開口部から前方へ膨出するような形状であってもよい。
【００２７】
ガラス体に形成される取付孔は、蝶番やラッチ等の固定金具をガラス体に固定するための孔で、例えば、矩形状をなす平板状のガラス体の周縁部に、一対の蝶番またはラッチに対応して、それぞれ1個ずつの貫通する孔が形成されていればよく、例えば、1個の蝶番のみを固定すればよい場合には、１個の孔が形成されていればよく、取付孔は少なくとも1個の貫通する孔が形成されていればよい。
【００２８】
固定金具は、例えば、器具本体の開口部にガラス体を取り付けるための蝶番、ラッチやクランプのようなものが許容され、アルミニウム、ステンレス、チタンなどの金属および合金で構成されることが防腐食性、耐候性の点から好ましい。
【００２９】
固定金具に形成される貫通する固定孔は、ガラス体の取付孔に対応して設けられ、例えば、ボルト等の固定具がガラス体の取付孔および固定金具の固定孔に挿通され回動できるように形成されていればよい。
【００３０】
固定金具に設けられる回り止め手段は、例えば、ボルト等の固定具を回動操作する際に、ガラス体の端面に配置された固定金具が一緒に回らないようにするための手段で、例えば、ガラス体の縁部に係止する係止部を固定金具に形成してもよく、さらには、両面接着テープ等でガラス体の外面に固定金具を固着して回り止めを防止するような手段であってもよい。
【００３１】
固定手段は、例えば、ボルト等の固定具をガラス体の１個の取付孔および固定金具の固定孔に挿通させて固定する手段が許容される。
【００３２】
請求項２に記載の照明器具の発明は、光源と；光源を収納し開口部を有する器具本体と；開口部に、開口部より大きく形成されて配設され、少なくとも1個の貫通する取付孔を周縁部に形成したガラス体と；ガラス体の取付孔1つに対応して貫通する固定孔を形成し、その側面にガラス体縁部に係止する係止部からなる回り止め手段を設けた少なくとも１つの固定金具と；固定金具をガラス体の端面に配置し、ボルトをガラス体の１個の取付孔および固定金具の固定孔に挿通させナットで固定する固定手段と；を具備することを特徴とする。
【００３３】
請求項３に記載の発明は、請求項１または２に記載の照明器具において、前記固定手段は、固定金具とガラス体との間に緩衝材を介して固定することを特徴とする。
【００３４】
緩衝材は、ガラス体の外面と固定金具の内面に介在させても、ガラス体縁部と固定金具の係止部との間に介在させても、さらにはその両者に跨って設けてもよい。
【００３５】
緩衝材は、薄い板状をなすフッ素樹脂系ゴム、合成ゴムや天然ゴムで構成し、防水機能をもたせることも許容される。
【００３６】
請求項４に記載の発明は、請求項１ないし３いずれか一に記載の照明器具において、前記ガラス体は、内面に樹脂膜を接着したことを特徴とする。
【００３７】
ガラス体の内面に接着された樹脂膜は、例えば、ガラス面にシリコーン薄膜を接着剤で接着してラミネート構成となし、万一ガラスが破損した場合のガラス飛散防止の機能を果たすものであり、その材質、構成は上記に例示した特定のものに限定されない。
【００３８】
請求項５に記載のトンネル用照明器具の発明は、請求項１ないし４いずれか一に記載の照明器具に、トンネル壁面に取り付けるための取付部を設けたことを特徴とする。
【発明の効果】
【００３９】
請求項１の発明によれば、回り止め手段を設けた少なくとも１つの固定金具と；固定金具をガラス体の端面に配置し、固定具をガラス体の１個の取付孔および固定金具の固定孔に挿通させ回動操作により固定する固定手段により、ガラス体は、固定金具1個あたり1個の取付孔となし、穴あけ加工を極力少なくして、加工コストを削減することが可能な照明器具を提供することができる。
【００４０】
さらに、固定金具は、固定孔および回り止め手段を設けた簡単な構成で、確実にガラス体に固定することが可能な照明器具を提供することができる。
【００４１】
請求項２の発明によれば、開口部に、開口部より大きく形成されて配設され、少なくとも1個の貫通する取付孔を周縁部に形成したガラス体により、アルミニウムやステンレス等の金属からなるカバー部材をなくすことができ、器具コストを削減することができる。
【００４２】
同時に、ガラス体は、固定金具1個あたり1個の取付孔となし、穴あけ加工を極力少なくして、加工コストを削減することが可能な照明器具を提供することができる。
【００４３】
さらに、固定金具は、固定孔およびガラス体縁部に係止する係止部からなる回り止め手段を設けた構成となし、さらに、ボルトをガラス体の１個の取付孔および固定金具の固定孔に挿通させナットで固定する固定手段により、固定金具を簡単な構成で、かつ確実にガラス体に固定することが可能な照明器具を提供することができる。
【００４４】
請求項３の発明によれば、固定手段は、固定金具とガラス体との間に緩衝材を介して固定するので、より確実に固定金具をガラス体に固定することができる。
【００４５】
請求項４の発明によれば、ガラス体は、内面に樹脂膜を接着したので、万一ガラスが破損した場合にガラス飛散防止の機能を果たすことが可能な照明器具を提供することができる。
【００４６】
請求項５の発明によれば、トンネル壁面に取り付けるための取付部を設けたので、コストを削減できると共に、固定金具を簡単な構成で、かつ確実にガラス体に固定することができるトンネル用照明器具を提供することができる。
【発明を実施するための最良の形態】
【００４７】
以下、本発明に係る照明器具の一実施形態について説明する。
【実施例１】
【００４８】
本実施例は、本発明の第一の実施形態であるトンネル用照明器具で、その構成を図１〜図５に従い説明する。
【００４９】
トンネル用照明器具１０は、光源１１、器具本体１２、ガラス体１３、固定金具１４、固定手段１５で構成する。
【００５０】
光源１１は、定格消費電力４５Ｗの２灯の直管形蛍光ランプで構成する。
【００５１】
器具本体１２は、前面に矩形状の開口部１２ａを有する浅い箱状をなした形状に構成し、開口部１２ａの周縁に一体に延長してパッキン１２ｂを収容するための迫り出し段部１２ｃを形成する。
【００５２】
器具本体１２は、アルミニウム板をプレス加工することにより構成し、防腐食性、耐候性をもたせている。
【００５３】
器具本体１２は、取付部１２ｄを有し、取付部は器具本体の背面から上下に延在し、この取付部によってトンネル用照明器具１０がトンネル側壁に所定の設置間隔をもって固定される。
【００５４】
ガラス体１３は、器具本体１２の開口部１２ａに対し開口部より大きく形成されて配設され、開口部１２ａをパッキン１２ｂと共に液密に覆うもので、器具本体１２およびガラス体１３により外部に対して液密な器具空間ａを形成する。
【００５５】
ガラス体１３は、平板状の矩形状をなす透明な強化ガラスで構成し、上縁部および下縁部に等間隔に５個ずつ、計１０個の貫通する取付孔１３ａを形成する。
【００５６】
１０個の各取付孔１３ａは、後述する蝶番およびラッチからなる固定金具１４をガラス体に固定するための孔で、１個の取付孔１３ａを使用して１個の蝶番またはラッチをそれぞれ固定する。
【００５７】
これにより、ガラス体１３は、器具本体１２の開口部１２ａに対し開口部より大きく形成されて配設され開閉可能に取り付けられる。
【００５８】
ガラス体１３には、その内面にシリコーン薄膜を接着剤で接着してラミネート構成となした飛散防止の樹脂膜１３ｂを形成する。上記ガラス体１３の取付孔１３ａは、この樹脂膜１３ｂをも貫通して形成されている。
【００５９】
２灯の直管形蛍光ランプからなる光源１１は、ガラス体１３の背面、すなわち器具空間ａ内において、内側壁に設けられた一対のソケット１１ａ、１１ａに装着され、器具の長手方向に平行に併設され、器具本体１２内に収納されている。
【００６０】
図３中１６は反射板で、２灯の直管形蛍光ランプからなる光源１１、１１が、それぞれ反射板の焦点位置になるようにして器具本体１２内に配置される。反射板は開口部１２ａ側に開放されるように位置させる。
【００６１】
また、反射板１６の裏面空間に蛍光ランプを安定に点灯させるための安定器１７や非常用電源である蓄電池（図示せず）を収容設置する。
【００６２】
固定金具１４は、ガラス体１３を器具本体１２の開口部１２ａに対し開閉可能に取り付けるための蝶番２０と、ガラス体１３を器具本体１２に強固に閉止して液密を確保するためのラッチ２１からなる。
【００６３】
これら蝶番およびラッチは、器具本体１２と同様にアルミニウム板をプレス加工することにより構成し、防腐食性、耐候性をもたせている。
【００６４】
蝶番２０は、図４に示すように、軸ｘを有する２枚の板材２０ａ、２０ｂからなり、一方の板材２０ａをガラス体１３の図１の正面図における上縁部に固定し、他方の板材２０ｂを器具本体１２の側壁外面に固定する。
【００６５】
蝶番２０は、ガラス体１３の上縁部に等間隔に５個を固定し、この５個の蝶番の軸ｘを中心としてガラス体１３が器具本体１２の開口部１２ａに対して開閉ができるように取り付けられる。
【００６６】
ラッチ２１は、クランプ部２１ａとクランプ部のクランプが係合する係合部を一体に設けた板状の受け部２１ｂからなり、受け部をガラス体１３の下縁部に固定し、クランプ部２１ａを器具本体１２の側壁外面に固定する。
【００６７】
ラッチ２１のクランプ部２１ａおよび受け部２１ｂは、５個の各蝶番２０に対向してガラス体１３の下縁部におよび器具本体１２の側壁外面に等間隔に５個を固定する。
【００６８】
この５個のクランプ部２１ａを受け部２１ｂにそれぞれ係合することにより、ガラス体１３を器具本体１２の開口部１２ａに対して強固に密閉して閉止することができ、係合を解除することによりガラス体１３が器具本体１２から開放されるように取り付けられる。
【００６９】
蝶番２０およびラッチ２１のガラス体１３への固定は、次のようにして行われる。
【００７０】
まず、蝶番２０の詳細構成につき説明する。図４（ａ）に示すように、蝶番は軸ｘを有する矩形状をなす２枚の板材２０ａ、２０ｂからなり、一方の板材２０ａは、軸ｘが固定された他方の板材２０ｂに対して着脱ができるように構成される。
【００７１】
一方の板材２０ａは、板材の一端部に軸ｘに係合する軸受け部２０ａ１を一体に形成し、板面の一端側に貫通する固定孔２０ｃを形成する。この固定孔はガラス体１３の取付孔１３ａに対応して設けられる。
【００７２】
さらに、軸受け部２０ａ１の両側を下方に直角に折り曲げてＬ字形をなす係止部２０ａ２を一体に形成する。係止部は、蝶番２０のガラス体１３への固定時に、ガラス体の縁部に係止して板材２０ａの回り止めを行う手段を構成する。
【００７３】
なお、蝶番の他方の板材２０ｂには、軸ｘが固定され側面視で階段状をなすように折り曲げられ下端に器具本体１２の側壁外面に取り付けるための支持部２０ｂ１が一体に形成されている。
【００７４】
上記に構成した蝶番２０をガラス体１３に固定するには、まず、上述したように、ガラス体１３の上縁部および下縁部に５個ずつ計１０個形成された取付孔１３ａの内、上縁部の１個の取付孔１３ａを使用して１個の蝶番２０を固定する。
【００７５】
すなわち、ガラス体１３の上縁部に形成された５個の取付孔の内の１個の取付孔１３ａに対して、蝶番２０の一方の板材２０ａの固定孔２０ｃを合致させる。
【００７６】
さらに、下方に直角に折り曲げて形成したＬ字形の係止部２０ａ２をガラス体１３の角部を含む縁部に係止して、ガラス体１３の外面の端面に板材２０ａの内面を載置させる。
【００７７】
この際、緩衝材２２をＬ字形に曲げてガラス体１３の外面の端面と板材２０ａ内面との間、およびガラス体１３の角部を含む縁部と板材２０ａの係止部２０ａ２内面との間に介在させる。
【００７８】
緩衝材２２は、薄い板状のフッ素樹脂系ゴムからなり、ガラス体１３の取付孔１３ａおよび板材２０ａの固定孔２０ｃに対応した貫通孔２２ａが形成され、板材２０ａより若干大きな矩形の短冊状をなし、ガラス体１３の端部で折り曲げて蝶番２０との間に介在させて構成される。
【００７９】
次に、固定手段１５を構成するスタットネジからなるボルト２３を、合致した板材２０ａの固定孔２０ｃ、緩衝材２２の貫通孔２２ａおよびガラス体の取付孔１３ａに挿通し、ガラス体内面からナット２４をねじ込んで固定する。
【００８０】
この際、板材２０ａはガラス体１３の１個の取付孔１３ａに対し、ボルト２３の回動操作を伴ってねじ込み固定するので、板材２０ａにはボルト２３を中心とした回動方向の力が加わる。
【００８１】
しかし、板材２０ａにはＬ字形の係止部２０ａ２を形成して、ガラス体１３の角部を含む縁部に係止しているので、板材２０ａは回動することなく、１個の取付孔で1本のボルト、ナットで確実かつ強固にねじ込み固定することができる。
【００８２】
因みに、従来ではこの蝶番にかかる回動方向の力を防ぐために、図６に示すように、ガラス体５１および蝶番５２に２個の取付孔５４、５４を形成し、一方を予め固定して回り止めを行い、２本のボルト、ナットで固定していた。
【００８３】
このため、ガラス体５１には、本実施例に比し倍数である、１枚当たり２０個の、コストの高い穴あけ加工を行わなければならい。また固定手段であるボルト、ナットも倍の数量が必要となり、大きなコストアップ要因となっている。
【００８４】
なお、ナット２４とガラス体１３内面との間にも、座金２５およびリング状の緩衝材２６を、緩衝材２６がガラス体１３内面と座金２５の間に位置するように介在させて固定する。
【００８５】
緩衝材２６は、上記緩衝材２２と同様に薄い板状のフッ素樹脂系ゴムで構成する。
【００８６】
次に、ガラス体１３の上縁部に形成された５個の取付孔の内の残り４個の取付孔１３ａに対して、上記と同様にして、残り４個の蝶番の板材２０ａをガラス体１３の上縁部に固定する。
【００８７】
次に、上記によりガラス体１３に固定された５個の蝶番の支持部２０ｂ１を、器具本体１２の側壁外面に当接しボルト２７により水密にして固定する。
【００８８】
この際、蝶番の他方の板材２０ｂは、ガラス体１３に固定された板材２０ａに対向した位置に固定する。
【００８９】
次に、器具本体１２に固定された他方の各板材２０ｂの軸ｘに、ガラス体１３に固定された一方の各板材２０ａの軸受け部２０ａ１を挿入して係合する。さらにダブルナットからなる固定ボルト２８を軸ｘの下方にネジ締めして、軸ｘと軸受け部２０ａ１が外れないように固定する。
【００９０】
これにより、ガラス体１３が器具本体１２の縁部、本実施例では上縁部に蝶番２０の軸ｘを中心として開閉ができるように取り付けられる。
【００９１】
同時に、ガラス体１３は、固定ボルト２８を外すことにより軸ｘと軸受け部２０ａ１との係合を解き、器具本体１２から着脱ができるように構成される。
【００９２】
次に、ラッチ２１のガラス体１３への固定方法も、上述した蝶番と同様な方法で固定される。
【００９３】
ラッチのガラス体への固定についても、従来ではこのラッチにかかる回動方向の力を防ぐために、図６に示すように、ガラス体５１およびラッチ５３に２個の取付孔５４、５４を形成し、一方を予め固定して回り止めを行い、２本のボルト、ナットで固定していた。
【００９４】
このため、上述した蝶番５２の場合と同様に、ガラス体５１には、本実施例に比し倍数の、１枚当たり２０個の、コストの高い穴あけ加工を行わなければならい。また固定手段であるボルト、ナットも倍の数量が必要となり、上述した蝶番におけるコストアップと相まって極めて大きなコストアップ要因となっている。
【００９５】
ラッチ２１がガラス体１３および器具本体１２に固定され、ラッチによりガラス体を器具本体の開口部１２ａに強固に閉止すると、器具本体１２の開口部１２ａの周縁に設けられたパッキン１２ｂが、ガラス体１３内面の周縁部で押されて密閉され、外部に対して液密な器具空間ａが形成される。
【００９６】
同時に、ガラス体１３は、ラッチ２１を外すことにより蝶番２０の軸ｘを中心として開放ができるように構成される。
【００９７】
なお、蝶番２０およびラッチ２１に設けられる各緩衝材２２、２６等は、ボルト、ナットでねじ込む際の緩衝の役目をなして強固に蝶番およびラッチをガラス体１３に固定することができると共に、ボルト、ナットの締めすぎによるガラス破損を防止することができる。さらに、各取付孔１３ａ等からの水の浸入を防ぎ防水機能も果たすことができる。
【００９８】
ガラス体１３内面に接着された樹脂膜１３ｂは、蝶番２０およびラッチ２１のガラス体１３への固定時に、ガラス体内面に合計１０箇所で押し付けられて挟持され、樹脂膜１３ｂのガラス体１３内面からの剥離が防止される。
【００９９】
上記により、４５Ｗ２灯の直管形蛍光ランプを光源１１とし、ガラス体１３が器具本体１２の開口部１２ａより大きく形成されて配設されたトンネル用照明器具１０が構成される。
【０１００】
上記に構成されたトンネル用照明器具を複数台用意し、トンネル側壁に取付部１２ｄを用いて道路の車両進行方向に沿うように等間隔で、ガラス体１３が路面に向くようにして設置し、主として路面を照明するように設置する。
【０１０１】
２灯の直管形蛍光ランプを点灯しトンネル内の照明行うと、本実施例のトンネル用照明器具は、ガラス体１３が器具本体１２の開口部１２ａより大きく形成されており、特許文献１のように金属からなるカバー部材がない。このためカバー部材で光が遮られるようなことがなく、光源からの光を有効に活用した照明が行える。
【０１０２】
また、長期の使用にわたりガラス体１３が汚染し高圧洗浄を行う場合、如何なる方向からの水の直接噴流を受けても、蝶番２０およびラッチ２１にはフッ素樹脂系ゴムからなる緩衝材２２、２６等が設けられ、各取付孔１３ａ等からの水の浸入を防ぐ。また器具本体１２の開口部１２ａにはパッキン１２ｂが設けられ、開口部からの水の浸入を防ぐことができる。
【０１０３】
以上、本実施例によれば、蝶番２０またはラッチ２１からなる固定金具１４を、ガラス体１３に形成された取付孔１３ａの内、１個の取付孔を使用して固定するので、ガラス体１３は固定金具1個あたり1個の穴あけ加工ですみ、コストの高い穴あけ加工を大幅に少なくすることができ、大幅なコスト削減を行うことができる。
【０１０４】
蝶番２０およびラッチ２１には、Ｌ字形の係止部からなる回り止め手段を一体に形成して、ガラス体１３の角部を含む縁部に係止しているので、固定時に蝶番およびラッチが回動することなく、１個の取付孔に1本のボルト、ナットで確実かつ強固に固定することができる。
【０１０５】
しかも、蝶番２０およびラッチ２１は、単に固定孔およびＬ字形の係止部を一体に折り曲げて形成する簡単な構成で済み、コスト的に有利な照明器具を提供することができる。
【０１０６】
本実施例のトンネル用照明器具は、上述した利点を有すると共に、ガラス体１３が器具本体１２の開口部１２ａより大きく形成されており、従来のようにカバー部材で光が遮られるようなことがなく光を有効に活用した照明が行える。
【０１０７】
特に、蝶番２０およびラッチ２１の固定孔が１個で済むので、従来の図６の蝶番５２およびラッチ５３のように、２個の固定孔を設けたものに比し、押さえ部分の大きさを小さくすることができ、透明なガラス体１３に固定した場合にガラス体の透明部分を隠して光を遮る部分が少なくなり、より一層光を有効に活用することができる。
【０１０８】
同時に、ガラス体１３を器具本体１２の開口部１２ａより大きく形成することにより、従来のカバー部材をなくすことができ、器具コストを大幅に削減することができる。
【０１０９】
以上、本実施例では、固定手段１５であるボルトを上方から挿入し、ガラス体１３の内面側からナットで固定したが、ボルトをガラス体の内面側から挿入し、上方からナットで固定するようにしてもよい。
【０１１０】
ボルトをナットで固定するようにしたが、ボルトを挿入した後、ボルト先端を押し潰して固定したり、または溶接等で固定してナットを省略した固定手段を構成してもよい。
【０１１１】
回り止め手段は、Ｌ字形の係止部を一体に折り曲げて形成したが、図５に示すように、ガラス体１３と蝶番２０またはラッチ２１の内面に両面接着テープ４０を介在させて、テープの接着力により回り止めの作用をなすように構成してもよい。この場合、両面テープとして比較的厚いものを用い、かつガラス体１３の取付孔１３ａより小さい貫通孔４０ａを形成して緩衝材とパッキンの役目を兼用させるようにしてもよい。
【０１１２】
本実施例は、トンネル用照明器具として構成したが、道路、公園等の屋外照明器具、さらには体育館、イベントホール等の屋内用照明器具として構成してもよい。
【０１１３】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１１４】
【図１】本発明の第一の実施形態に係るトンネル用照明器具を示し、（ａ）は正面図、（ｂ）はガラス体の正面図。
【図２】同じくトンネル用照明器具を示し、（ａ）は一部を切り欠いて示す上面図、（ｂ）は一部を切り欠いて示す下面図。
【図３】同じく図１のＡ―Ａ線に沿う縦断面図。
【図４】同じくトンネル用照明器具の要部を拡大して示す図で（ａ）は図３のＡ部を拡大して示す縦断面図、（ｂ）は（ａ）のＢ部を拡大して示す縦断面図、（ｃ）は（ａ）のＣ部を拡大して示す縦断面図、（ｄ）は蝶番の一方の板材を示す斜視図。
【図５】同じくトンネル用照明器具の変形例の要部を、一部を切り欠いて示す斜視図。
【図６】従来のトンネル用照明器具を示す正面図。
【符号の説明】
【０１１５】
１０  照明器具
１１  光源
１２  器具本体
１２ａ  開口部
１３  ガラス体
１３ａ  取付孔
１４  固定金具
１５  固定手段
２０  蝶番
２１  ラッチ
２０ｃ  固定孔
２０ａ２  回り止め手段
２３、２４  固定具
【図１】
2007323930.tif 000003
【図２】
2007323930.tif 000004
【図３】
2007323930.tif 000005
【図４】
2007323930.tif 000006
【図５】
2007323930.tif 000007
【図６】
2007323930.tif 000008